(57)【特許請求の範囲】
【請求項１】
不揮発性記録手段を着脱可能な撮像装置とプリント装置とを含む画像印刷システムであって、
前記撮像装置は、撮影画像について画像ファイルを作成しその画像ファイルを符号化して前記不揮発性記録手段の第１のフォルダに格納する撮像手段と、印刷すべき画像の情報と処理命令とを記録した印刷管理情報ファイルを作成する印刷管理情報作成手段と、前記印刷管理情報ファイルを前記不揮発性記録手段の第２のフォルダに格納する印刷管理情報格納／取得手段と、前記プリント装置との間で通信可能な第１のファイル転送手段とを備え、
前記プリント装置は、前記第１のファイル転送手段と有線または無線で接続可能な第２のファイル転送手段と、前記印刷管理情報ファイルを前記撮像装置から取得し前記印刷すべき画像の情報と前記処理命令とを抽出する印刷管理情報取得手段と、前記抽出された印刷すべき画像の情報に基づいて印刷すべき画像の画像ファイルを選択取得する画像選択読出手段と、前記取得した画像ファイルを復号化する復号化処理手段と、前記抽出された処理命令に基づいて前記復号化された画像ファイルが示す画像を印刷する印刷部とを備え、
前記不揮発性記録手段が前記撮像装置に装着され、前記撮像装置の第１のファイル転送手段と前記プリント装置の第２のファイル転送手段とが有線または無線で接続された状態で、
前記プリント装置の前記印刷管理情報取得手段は、前記不揮発性記録手段の第２のフォルダに格納された前記印刷管理情報ファイルを前記第２のファイル転送手段を経由して取得しその印刷管理情報ファイルから前記印刷すべき画像の情報と前記処理命令を抽出し、
前記プリント装置の前記画像選択読出手段は、前記抽出された印刷すべき画像の情報に基づいて前記不揮発性記録手段の第１のフォルダに格納された画像ファイルのうち印刷すべき画像の画像ファイルを前記第２のファイル転送手段を経由して前記撮像装置から選択取得し、
前記復号化処理手段は、前記取得した画像ファイルを復号化し、
前記印刷部は、前記処理命令に基づいて前記復号化された画像ファイルが示す画像を印刷することを特徴とする画像印刷システム。
【請求項２】
不揮発性記録手段を着脱可能な撮像装置と表示装置とを含む画像表示システムであって、
前記撮像装置は、撮影画像について画像ファイルを作成しその画像ファイルを符号化して前記不揮発性記録手段の第１のフォルダに格納する撮像手段と、表示すべき画像の情報と処理命令とを記録した表示管理情報ファイルを作成する表示管理情報作成手段と、前記表示管理情報ファイルを前記不揮発性記録手段の第２のフォルダに格納する表示管理情報格納／取得手段と、前記表示装置との間で通信可能な第１のファイル転送手段とを備え、
前記表示装置は、前記第１のファイル転送手段と有線または無線で接続可能な第２のファイル転送手段と、前記表示管理情報ファイルを前記撮像装置から取得し前記表示すべき画像の情報と前記処理命令とを抽出する表示管理情報取得手段と、前記抽出された表示すべき画像の情報に基づいて表示すべき画像の画像ファイルを選択取得する画像選択読出手段と、前記取得した画像ファイルを復号化する復号化処理手段と、前記抽出された処理命令に基づいて前記復号化された画像ファイルが示す画像を表示する表示部とを備え、
前記不揮発性記録手段が前記撮像装置に装着され、前記撮像装置の第１のファイル転送手段と前記表示装置の第２のファイル転送手段とが有線または無線で接続された状態で、
前記表示装置の前記表示管理情報取得手段は、前記不揮発性記録手段の第２のフォルダに格納された前記表示管理情報ファイルを前記第２のファイル転送手段を経由して取得しその表示管理情報ファイルから前記表示すべき画像の情報と前記処理命令を抽出し、
前記表示装置の前記画像選択読出手段は、前記抽出された表示すべき画像の情報に基づいて前記不揮発性記録手段の第１のフォルダに格納された画像ファイルのうち表示すべき画像の画像ファイルを前記第２のファイル転送手段を経由して前記撮像装置から選択取得し、
前記復号化処理手段は、前記取得した画像ファイルを復号化し、
前記表示部は、前記処理命令に基づいて前記復号化された画像ファイルが示す画像を表示することを特徴とする画像表示システム。
【請求項３】
不揮発性記録手段を着脱可能な撮像装置と通信装置とを含む画像通信システムであって、
前記撮像装置は、撮影画像について画像ファイルを作成しその画像ファイルを符号化して前記不揮発性記録手段の第１のフォルダに格納する撮像手段と、送信すべき画像の情報と処理命令とを記録した送信管理情報ファイルを作成する送信管理情報作成手段と、前記送信管理情報ファイルを前記不揮発性記録手段の第２のフォルダに格納する送信管理情報格納／取得手段と、前記通信装置との間で通信可能な第１のファイル転送手段とを備え、
前記通信装置は、前記第１のファイル転送手段と有線または無線で接続可能な第２のファイル転送手段と、前記送信管理情報ファイルを前記撮像装置から取得し前記送信すべき画像の情報と前記処理命令とを抽出する送信管理情報取得手段と、前記抽出された送信すべき画像の情報に基づいて送信すべき画像の画像ファイルを選択取得する画像選択読出手段と、前記抽出された処理命令に基づいて前記取得された画像ファイルを送信する通信部とを備え、
前記不揮発性記録手段が前記撮像装置に装着され、前記撮像装置の第１のファイル転送手段と前記通信装置の第２のファイル転送手段とが有線または無線で接続された状態で、
前記通信装置の前記送信管理情報取得手段は、前記不揮発性記録手段の第２のフォルダに格納された前記送信管理情報ファイルを前記第２のファイル転送手段を経由して取得しその送信管理情報ファイルから前記送信すべき画像の情報と前記処理命令を抽出し、
前記通信装置の前記画像選択読出手段は、前記抽出された送信すべき画像の情報に基づいて前記不揮発性記録手段の第１のフォルダに格納された画像ファイルのうち送信すべき画像の画像ファイルを前記第２のファイル転送手段を経由して前記撮像装置から選択取得し、
前記通信部は、前記処理命令に基づいて前記取得された画像ファイルを送信することを特徴とする画像通信システム。
【請求項４】
請求項１に記載の画像印刷システムに用いる撮像装置。
【請求項５】
請求項１に記載の画像印刷システムに用いるプリント装置。
【請求項６】
請求項２に記載の画像表示システムに用いる撮像装置。
【請求項７】
請求項２に記載の画像表示システムに用いる表示装置。
【請求項８】
請求項３に記載の画像通信システムに用いる撮像装置。
【請求項９】
請求項３に記載の画像通信システムに用いる通信装置。
【発明の詳細な説明】
【０００１】
【発明の属する技術分野】
本発明は、撮像した画像をフラッシュメモリカードやディスクや半導体メモリなどに格納する撮像装置とプリント装置、表示装置または通信装置との組み合わせからなる画像印刷システム、画像表示システム、画像通信システム及びそれらに用いられる撮像装置、プリント装置、表示装置、通信装置に関するものである。
【０００２】
【従来の技術】
従来の撮像装置は、特開平１１−８８８０８号公報に記載されたものが知られている。
【０００３】
図１６は同公報に示されている従来の撮像装置のブロック図である。図１６において、１６０１は対物レンズ、１６０２はＣＣＤ（電荷結合素子）、１６０３はＡ／Ｄ変換器、１６０４は映像圧縮手段、１６０５はメモリカードに対して圧縮された映像をファイル名で一意に特定できるファイルの形で書き込む映像書込手段、Ｓ１はシャッタボタンであり、これらにより撮影手段１６２０を構成する。
【０００４】
１６０９はファイル名を指定して映像ファイルを読み出す映像読出手段、１６１０は映像伸張手段、１６１１はＤ／Ａ変換器、Ｓ２は再生スイッチ、１６１２は液晶、１６１３は表示送りキー、１６１４は表示回転キー、１６１５は液晶１６１２に表示中の映像に関する情報を取得する映像情報取得手段、１６１７は注文者指定キー、１６１８は印刷指定キーであり、これらにより映像選択手段１６２１を構成する。
【０００５】
１６２２は印刷管理情報格納手段であり、印刷管理情報を生成し、メモリカードに印刷管理情報ファイルを作成する。
【０００６】
１６２３はフラッシュメモリカードで、撮像装置から取り外し可能でかつ、不揮発性のメモリである。このフラッシュメモリカード１６２３は取り外し可能な不揮発性記録手段を構成する。フラッシュメモリカード１６２３の内部には、映像ファイル１６０７および印刷管理情報ファイル１６０８がＤＯＳフォーマットの形式で格納される。
【０００７】
以下、従来の撮像装置の動作を説明する。いま、シャッタボタンＳ１が押されたとする。すると、ＣＣＤ１６０２から取り込まれた映像信号はＡ／Ｄ変換器１６０３、映像圧縮手段１６０４、映像書込手段１６０５によって、フラッシュメモリカード１６２３の中で一意に特定できるファイルとしてフラッシュメモリカード１６２３に書き込まれる。いま、撮影によってフラッシュメモリカード１６２３の内部に蓄えられた静止画像ファイルはそれぞれユーザーＭ氏とＮ氏が撮影した映像であるとする。
【０００８】
ユーザーは再生スイッチＳ２をオンにすることにより、撮影した映像を液晶で見ることができる。すなわち、映像読出手段１６０９が１個のファイルを読み出し、映像伸張手段１６１０、Ｄ／Ａ変換器１６１１を経て液晶１６１２に映像が表示される。また、ユーザーが表示送りキー１６１３を押すと、映像読出手段１６０９は現在表示中の映像とは別のファイルを読み出し、表示を開始する。
【０００９】
ユーザーＭ氏が印刷すべき映像を登録するには、まず表示送りキー１６１３を使って印刷したい映像を表示し、かつ注文者指定キー１６１７を押す。すると、映像情報取得手段１６１５は映像読出手段１６０９から表示中の映像のファイル名を取得する。印刷管理情報格納手段１６２２は“ＯＲＤＥＲ”という文字列をファイル名の前に付けて、印刷管理情報ファイル“ＰＲＩＮＴ”の１行目として、フラッシュメモリカード１６２３に格納する。
【００１０】
次に、Ｍ氏は表示送りキー１６１３を使って、次に印刷したい映像を表示させる。このとき印刷指定キー１６１８を押すと映像情報取得手段１６１５は映像読出手段１６０９から、表示中の映像ファイル名を取得する。次に、印刷管理情報格納手段１６２２は取得したファイル名を印刷管理情報ファイル“ＰＲＩＮＴ”の２行目として、フラッシュメモリカード１６２３に格納する。その後同様の操作で、印刷したい映像のファイル名を登録する。
【００１１】
次に、同様にＮ氏が印刷したい映像を選択してファイル名を登録することによって、印刷管理情報ファイルが作成される。
【００１２】
ユーザーは選択した映像を印刷するためにプリント装置にフラッシュメモリカードを装着する。すると、プリント装置における印刷管理情報取得手段が“ＰＲＩＮＴ”なるファイルを探し、そのファイルの内容に従い、登録された印刷すべき静止画を自動的に印刷することができる。
【００１３】
すなわち、従来の撮像装置は、着脱可能な不揮発性記録媒体から静止画像を再生する手段と、再生された静止画像の中から印刷したい画像を選択する手段と、印刷画像として選択された静止画像に関する情報を着脱可能な不揮発性記録媒体に格納する構成になっており、この撮像装置によって印刷画像に関する情報を格納された着脱可能な不揮発性記録媒体を、プリント装置に装着することによって、選択された静止画のみを印刷することができる。
【００１４】
また、表示システム、通信システム、画像処理システムにおいても、同様に行うことができ、撮影した静止画を、撮像装置無しでも自動的に表示、送信することができる。
【００１５】
【発明が解決しようとする課題】
従来例の撮像装置の印刷システムでは、プリント装置が不揮発性記録媒体を装着するコネクタを有する場合は、選択された画像を自動印刷することができたが、撮像装置で印刷画像を選択できたとしても、不揮発性記録媒体を装着するコネクタがないプリント装置では、選択された画像を自動的に印刷できないという問題点があった。
【００１６】
また、従来例の撮像装置の表示システムでは、表示装置が不揮発性記録媒体を装着するコネクタを有する場合は、選択された画像を自動表示することができたが、撮像装置で表示画像を選択できたとしても、不揮発性記録媒体を装着するコネクタがない表示装置では、選択された画像を自動的に表示できないという問題点があった。
【００１７】
また、従来例の撮像装置の通信システムでは、通信装置が不揮発性記録媒体を装着するコネクタを有する場合は、選択された画像を自動送信することができたが、撮像装置で送信画像を選択できたとしても、不揮発性記録媒体を装着するコネクタがない通信装置では、選択された画像を自動的に送信できないという問題点があった。
【００１８】
そこで、本発明は、撮像装置で撮影した画像の中から印刷画像を選択することができ、不揮発性記録媒体を装着するコネクタがないプリント装置でも、ファイル転送手段を用いて選択画像を自動的に印刷可能にすることを目的とする。
【００１９】
また、本発明は、撮像装置で撮影した画像の中から表示画像を選択することができ、不揮発性記録媒体を装着するコネクタがない表示装置でも、ファイル転送手段を用いて選択画像を自動的に表示可能にすることを目的とする。
【００２０】
また、本発明は、撮像装置で撮影した画像の中から送信画像を選択することができ、不揮発性記録媒体を装着するコネクタがない通信装置でも、ファイル転送手段を用いて選択画像を自動的に送信可能にすることを目的とする。
【００２１】
【課題を解決するための手段】
本発明の第１の観点の画像印刷システムは、それぞれ次のような構成要素からなる撮像装置とプリント装置とで構成されている。
【００２２】
撮像装置は、撮影画像について画像ファイルを作成しその画像ファイルを符号化して前記不揮発性記録手段の第１のフォルダに格納する撮像手段と、印刷すべき画像の情報と処理命令とを記録した印刷管理情報ファイルを作成する印刷管理情報作成手段と、前記印刷管理情報ファイルを前記不揮発性記録手段の第２のフォルダに格納する印刷管理情報格納／取得手段と、前記プリント装置との間で通信可能な第１のファイル転送手段とを備えている。
【００２３】
プリント装置は、前記第１のファイル転送手段と有線または無線で接続可能な第２のファイル転送手段と、前記印刷管理情報ファイルを前記撮像装置から取得し前記印刷すべき画像の情報と前記処理命令とを抽出する印刷管理情報取得手段と、前記抽出された印刷すべき画像の情報に基づいて印刷すべき画像の画像ファイルを選択取得する画像選択読出手段と、前記取得した画像ファイルを復号化する復号化処理手段と、前記抽出された処理命令に基づいて前記復号化された画像ファイルが示す画像を印刷する印刷部とを備えている。
【００２４】
この画像印刷システムによれば、撮像手段で撮影された画像の中から印刷画像を選択することができ、選択された印刷画像に関する情報を、画像を格納させたのと同一の着脱可能な不揮発性記録手段に格納させることができる。ファイル転送手段を用いて撮像装置とプリント装置を接続することによって、プリント装置が印刷画像及び印刷画像に関する情報を取得し、選択された画像を自動印刷することが可能である。
【００２５】
また、本発明の第２の観点の画像表示システムは、それぞれ次のような構成要素からなる撮像装置と表示装置とで構成されている。
【００２６】
撮像装置は、撮影画像について画像ファイルを作成しその画像ファイルを符号化して前記不揮発性記録手段の第１のフォルダに格納する撮像手段と、表示すべき画像の情報と処理命令とを記録した表示管理情報ファイルを作成する表示管理情報作成手段と、前記表示管理情報ファイルを前記不揮発性記録手段の第２のフォルダに格納する表示管理情報格納／取得手段と、前記表示装置との間で通信可能な第１のファイル転送手段とを備えている。
【００２７】
表示装置は、前記第１のファイル転送手段と有線または無線で接続可能な第２のファイル転送手段と、前記表示管理情報ファイルを前記撮像装置から取得し前記表示すべき画像の情報と前記処理命令とを抽出する表示管理情報取得手段と、前記抽出された表示すべき画像の情報に基づいて表示すべき画像の画像ファイルを選択取得する画像選択読出手段と、前記取得した画像ファイルを復号化する復号化処理手段と、前記抽出された処理命令に基づいて前記復号化された画像ファイルが示す画像を表示する表示部とを備えている。
【００２８】
この画像表示システムによれば、撮像手段で撮影された画像の中から表示画像を選択することができ、選択された表示画像に関する情報を、画像を格納させたのと同一の着脱可能な不揮発性記録手段に格納させることができる。ファイル転送手段を用いて撮像装置と表示装置を接続することによって、表示装置が表示画像及び表示画像に関する情報を取得し、選択された画像を自動表示することが可能である。
【００２９】
また、本発明の第３の観点の画像通信システムは、それぞれ次のような構成要素からなる撮像装置と通信装置とで構成されている。
【００３０】
撮像装置は、撮影画像について画像ファイルを作成しその画像ファイルを符号化して前記不揮発性記録手段の第１のフォルダに格納する撮像手段と、送信すべき画像の情報と処理命令とを記録した送信管理情報ファイルを作成する送信管理情報作成手段と、前記送信管理情報ファイルを前記不揮発性記録手段の第２のフォルダに格納する送信管理情報格納／取得手段と、前記通信装置との間で通信可能な第１のファイル転送手段とを備えている。
【００３１】
通信装置は、前記第１のファイル転送手段と有線または無線で接続可能な第２のファイル転送手段と、前記送信管理情報ファイルを前記撮像装置から取得し前記送信すべき画像の情報と前記処理命令とを抽出する送信管理情報取得手段と、前記抽出された送信すべき画像の情報に基づいて送信すべき画像の画像ファイルを選択取得する画像選択読出手段と、前記抽出された処理命令に基づいて前記取得された画像ファイルを送信する通信部とを備えている。
【００３２】
この画像通信システムによれば、撮像手段で撮影された画像の中から送信画像を選択することができ、選択された送信画像に関する情報を、画像を格納させたのと同一の着脱可能な不揮発性記録手段に格納させることができる。ファイル転送手段を用いて撮像装置と通信装置を接続することによって、通信装置が送信画像及び送信画像に関する情報を取得し、選択された画像を自動送信することが可能である。
【００３７】
【発明の実施の形態】
以下、本発明の実施の形態を総括的に説明する。
【００３８】
本願第１の発明の画像印刷システムは、不揮発性記録手段を着脱可能な撮像装置とプリント装置とを含む画像印刷システムであって、前記撮像装置は、撮影画像について画像ファイルを作成しその画像ファイルを符号化して前記不揮発性記録手段の第１のフォルダに格納する撮像手段と、印刷すべき画像の情報と処理命令とを記録した印刷管理情報ファイルを作成する印刷管理情報作成手段と、前記印刷管理情報ファイルを前記不揮発性記録手段の第２のフォルダに格納する印刷管理情報格納／取得手段と、前記プリント装置との間で通信可能な第１のファイル転送手段とを備え、前記プリント装置は、前記第１のファイル転送手段と有線または無線で接続可能な第２のファイル転送手段と、前記印刷管理情報ファイルを前記撮像装置から取得し前記印刷すべき画像の情報と前記処理命令とを抽出する印刷管理情報取得手段と、前記抽出された印刷すべき画像の情報に基づいて印刷すべき画像の画像ファイルを選択取得する画像選択読出手段と、前記取得した画像ファイルを復号化する復号化処理手段と、前記抽出された処理命令に基づいて前記復号化された画像ファイルが示す画像を印刷する印刷部とを備え、前記不揮発性記録手段が前記撮像装置に装着され、前記撮像装置の第１のファイル転送手段と前記プリント装置の第２のファイル転送手段とが有線または無線で接続された状態で、前記プリント装置の前記印刷管理情報取得手段は、前記不揮発性記録手段の第２のフォルダに格納された前記印刷管理情報ファイルを前記第２のファイル転送手段を経由して取得しその印刷管理情報ファイルから前記印刷すべき画像の情報と前記処理命令を抽出し、前記プリント装置の前記画像選択読出手段は、前記抽出された印刷すべき画像の情報に基づいて前記不揮発性記録手段の第１のフォルダに格納された画像ファイルのうち印刷すべき画像の画像ファイルを前記第２のファイル転送手段を経由して前記撮像装置から選択取得し、前記復号化処理手段は、前記取得した画像ファイルを復号化し、前記印刷部は、前記処理命令に基づいて前記復号化された画像ファイルが示す画像を印刷することを特徴とする。
【００３９】
本願第２の発明の画像表示システムは、不揮発性記録手段を着脱可能な撮像装置と表示装置とを含む画像表示システムであって、前記撮像装置は、撮影画像について画像ファイルを作成しその画像ファイルを符号化して前記不揮発性記録手段の第１のフォルダに格納する撮像手段と、表示すべき画像の情報と処理命令とを記録した表示管理情報ファイルを作成する表示管理情報作成手段と、前記表示管理情報ファイルを前記不揮発性記録手段の第２のフォルダに格納する表示管理情報格納／取得手段と、前記表示装置との間で通信可能な第１のファイル転送手段とを備え、前記表示装置は、前記第１のファイル転送手段と有線または無線で接続可能な第２のファイル転送手段と、前記表示管理情報ファイルを前記撮像装置から取得し前記表示すべき画像の情報と前記処理命令とを抽出する表示管理情報取得手段と、前記抽出された表示すべき画像の情報に基づいて表示すべき画像の画像ファイルを選択取得する画像選択読出手段と、前記取得した画像ファイルを復号化する復号化処理手段と、前記抽出された処理命令に基づいて前記復号化された画像ファイルが示す画像を表示する表示部とを備え、前記不揮発性記録手段が前記撮像装置に装着され、前記撮像装置の第１のファイル転送手段と前記表示装置の第２のファイル転送手段とが有線または無線で接続された状態で、前記表示装置の前記表示管理情報取得手段は、前記不揮発性記録手段の第２のフォルダに格納された前記表示管理情報ファイルを前記第２のファイル転送手段を経由して取得しその表示管理情報ファイルから前記表示すべき画像の情報と前記処理命令を抽出し、前記表示装置の前記画像選択読出手段は、前記抽出された表示すべき画像の情報に基づいて前記不揮発性記録手段の第１のフォルダに格納された画像ファイルのうち表示すべき画像の画像ファイルを前記第２のファイル転送手段を経由して前記撮像装置から選択取得し、前記復号化処理手段は、前記取得した画像ファイルを復号化し、前記表示部は、前記処理命令に基づいて前記復号化された画像ファイルが示す画像を表示することを特徴とする。
【００４０】
本願第３の発明の画像通信システムは、不揮発性記録手段を着脱可能な撮像装置と通信装置とを含む画像通信システムであって、前記撮像装置は、撮影画像について画像ファイルを作成しその画像ファイルを符号化して前記不揮発性記録手段の第１のフォルダに格納する撮像手段と、送信すべき画像の情報と処理命令とを記録した送信管理情報ファイルを作成する送信管理情報作成手段と、前記送信管理情報ファイルを前記不揮発性記録手段の第２のフォルダに格納する送信管理情報格納／取得手段と、前記通信装置との間で通信可能な第１のファイル転送手段とを備え、前記通信装置は、前記第１のファイル転送手段と有線または無線で接続可能な第２のファイル転送手段と、前記送信管理情報ファイルを前記撮像装置から取得し前記送信すべき画像の情報と前記処理命令とを抽出する送信管理情報取得手段と、前記抽出された送信すべき画像の情報に基づいて送信すべき画像の画像ファイルを選択取得する画像選択読出手段と、前記抽出された処理命令に基づいて前記取得された画像ファイルを送信する通信部とを備え、前記不揮発性記録手段が前記撮像装置に装着され、前記撮像装置の第１のファイル転送手段と前記通信装置の第２のファイル転送手段とが有線または無線で接続された状態で、前記通信装置の前記送信管理情報取得手段は、前記不揮発性記録手段の第２のフォルダに格納された前記送信管理情報ファイルを前記第２のファイル転送手段を経由して取得しその送信管理情報ファイルから前記送信すべき画像の情報と前記処理命令を抽出し、前記通信装置の前記画像選択読出手段は、前記抽出された送信すべき画像の情報に基づいて前記不揮発性記録手段の第１のフォルダに格納された画像ファイルのうち送信すべき画像の画像ファイルを前記第２のファイル転送手段を経由して前記撮像装置から選択取得し、前記通信部は、前記処理命令に基づいて前記取得された画像ファイルを送信することを特徴とする。
【００４１】
本願第４の発明の撮像装置は、第１の発明の画像印刷システムに用いるものである。
本願第５の発明のプリント装置は、第１の発明の画像印刷システムに用いるものである。
本願第６の発明の撮像装置は、第２の発明の画像表示システムに用いるものである。
本願第７の発明の表示装置は、第２の発明の画像表示システムに用いるものである。
本願第８の発明の撮像装置は、第３の発明の画像通信システムに用いるものである。
本願第９の発明の通信装置は、第３の発明の画像通信システムに用いるものである。
【００４２】
（具体的な実施の形態）
以下、本発明にかかわるデジタルカメラシステムの具体的な実施の形態を図面に基づいて説明する。
【００４３】
（実施の形態１）
図１は、本発明の実施の形態１によるデジタルカメラシステムの構成を示すブロック図である。図１において、１００は撮像装置、１０１は撮像手段、１０２は着脱可能な不揮発性記録手段であるフラッシュメモリカード、１０３は画像ファイル、１０４は再生表示手段、１０５は印刷管理情報作成手段、１０６は印刷管理情報格納／取得手段、１０７は印刷管理情報ファイル、１０８は第１ファイル転送手段、１０９はプリント装置、１１０は第２ファイル転送手段、１１１は印刷手段、１１２は通信ケーブルである。
【００４４】
図２は、本発明の実施の形態１における撮像装置の構成を示すブロック図である。図２において、２０１は光学系、２０２は撮像素子、２０３はＡ／Ｄ変換器、２０４は映像信号処理手段、２０５は符号化処理手段、２０６はフラッシュメモリカード１０２に対して画像をファイル名で一意に特定できるファイルの形で書き込む画像書込手段、ＲＥＣは録画スイッチであり、これらにより撮像手段１０１を構成する。
【００４５】
２０７はファイル名を指定して画像ファイルを読み出す画像読出手段、２０８は符号化された画像ファイルを復号化する復号化処理手段、２０９は表示画像格納メモリ、２１０は表示信号処理手段、２１１は液晶ディスプレイ（以下、単に液晶と称す）、表示・表示送りキーは画像ファイルの再生表示、別の画像ファイルへの再生表示切り替えなどの制御を行う再生制御入力手段であり、これらにより再生表示手段１０４を構成する。
【００４６】
２１３は印刷画像の印刷ファイル指定や改ページ等の処理命令の入力を行う印刷情報入力手段、２１２は液晶２１１に表示中の画像に関する情報を取得する画像情報取得手段であり、これらにより印刷管理情報作成手段１０５を構成する。
【００４７】
２１４は印刷管理情報をファイルとして、フラッシュメモリカード１０２に格納する印刷管理情報格納手段、２１５はフラッシュメモリカード１０２からファイル名を指定して印刷管理情報ファイル１０７を読み出す印刷管理情報取得手段であり、これらにより印刷管理情報格納／取得手段１０６を構成する。
【００４８】
１０２はフラッシュメモリカードで、撮像装置１００から着脱可能でかつ、不揮発性のメモリである。このフラッシュメモリカード１０２は着脱可能な不揮発性記録手段を構成する。フラッシュメモリカード１０２の内部には、画像ファイル１０３および印刷管理情報ファイル１０７がＤＯＳフォーマットの形式で格納される。
【００４９】
図３は、本実施の形態におけるプリント装置１０９の構成を示すブロック図である。図３において、１１０は撮像装置１００の第１ファイル転送手段１０８と通信することによってフラッシュメモリカード１０２の中のファイルをアクセスできるようにする第２ファイル転送手段である。３０１は第１ファイル転送手段１０８と第２ファイル転送手段１１０を介して、撮像装置１００に装着されたフラッシュメモリカード１０２上の印刷管理情報ファイル１０７を取得する印刷管理情報取得手段である。３０２は取得した印刷管理情報に従い印刷指示する印刷制御手段である。３０３は第１ファイル転送手段１０８と第２ファイル転送手段１１０を介して、撮像装置１００に装着されたフラッシュメモリカード１０２上から印刷管理情報で指定された画像ファイル１０３を読み出す画像選択読出手段、３０４は画像選択読出手段３０３が読み出した符号化された画像を復号化する復号化処理手段、３０５は復号化されたフレーム画像を格納する印刷画像格納メモリ、３０６は印刷画像格納メモリ３０５に格納されたフレーム画像に対して印刷特有の信号処理を行う印刷信号処理手段、３０７は印刷制御に従い印刷する印刷部であり、これらにより印刷手段１１１を構成する。また、第２ファイル転送手段１１０と印刷手段１１１でプリント装置１０９を構成する。
【００５０】
図４は、本発明における印刷管理情報ファイル１０７の内容の例を示す図である。図４において、印刷管理情報ファイル１０７の内容として、行数は印刷管理情報ファイル１０７内の情報数を示す。画像指定は印刷したい画像ファイルであることを示す。指定ファイル名は印刷したい画像ファイル名を示す。ＪＯＢは印刷処理命令であり、ＰＡＧＥは改ページ指示を示している。
【００５１】
図５は、本発明における印刷管理情報ファイル１０７が格納されるディレクトリ構造を示す図である。図５において、印刷管理情報ファイル１０７等の制御ファイルと静止画ファイルと動画ファイルは独立したディレクトリ構造になっている。
【００５２】
図６は、本発明におけるプリント装置または表示装置の出力結果例を示す図である。
【００５３】
以上のように構成された実施の形態１のデジタルカメラシステムについて、以下その動作を説明する。図２において、いま、録画スイッチＲＥＣが押されたとする。すると、光学系２０１により形成された被写体の光学像は撮像素子２０２によって映像信号として取り込まれる。取り込まれた映像信号はＡ／Ｄ変換器２０３によってアナログ／デジタル変換され、映像信号処理手段２０４で信号処理される。信号処理を行った映像信号は符号化処理手段２０５で１フレーム単位でフレーム内符号化される。画像書込手段２０６はフラッシュメモリカード１０２に対してフレーム内符号化された画像をファイル名で一意に特定できるファイルの形で書き込む。
【００５４】
いま、撮影によって、画像ファイル“ＡＡＡ．ＪＰＧ”，“ＢＢＢ．ＪＰＧ”，“ＣＣＣ．ＪＰＧ”，“ＤＤＤ．ＪＰＧ”がフラッシュメモリカード１０２の内部に蓄えられているものとする。画像ファイル１０３の内部は複数のフレーム内符号化された画像ファイル（例えば、ＪＰＥＧ画像ファイル）によって構成される。フレーム内符号化されているので、画像ファイルで読み出せば、そのフレーム画像を復号化することができる。
【００５５】
ユーザーは、再生表示手段１０４の表示キーをオンすることにより、撮影した画像を液晶２１１で見ることができる。すなわち、画像読出手段２０７が１個の画像ファイルを読み出し、復号化処理手段２０８でフレーム内符号化されたフレーム画像を復号化し、表示画像格納メモリ２０９に格納する。そして、表示画像格納メモリ２０９に格納されたフレーム画像に対して表示用のγ補正や輪郭補正等の信号処理を表示信号処理手段２１０で行うことで、液晶２１１に画像が表示される。また、ユーザーが表示送りキーを押すと、別の画像ファイルを液晶２１１に表示することができる。
【００５６】
ユーザーが印刷したい画像を画像ファイルから選択して登録するにはまず、ユーザーが印刷したい画像ファイル、例えば“ＡＡＡ．ＪＰＧ”を表示送りキーによって選択し、画像読出手段２０７によって画像ファイル１０３を読み出し、液晶２１１に表示させる。かつ印刷情報入力手段２１３によって画像情報取得手段２１２に指示を出力すると、画像情報取得手段２１２は画像読出手段２０７から、表示中の画像ファイル名を取得する。印刷管理情報作成手段１０５は“ＩＭＡＧＥ  ＳＲＣ  ＦＩＬＥ＝”という文字列をファイル名の前に付けて印刷管理情報ファイル“ＡＵＴＰＲＩＮＴ．ＭＲＫ”の１行目を作成する。そして印刷管理情報格納手段２１４が印刷管理情報ファイル“ＡＵＴＰＲＩＮＴ．ＭＲＫ”をフラッシュメモリカード１０２に格納する。
【００５７】
次に、ユーザーは表示送りキーを使って、次に印刷したい画像として画像ファイル“ＢＢＢ．ＪＰＧ”の画像を表示したとする。このとき、印刷情報入力手段２１３によって画像情報取得手段２１２に指示を出力すると、画像情報取得手段２１２は画像読出手段２０７から、表示中の画像ファイル名を取得する。印刷管理情報作成手段１０５は、“ＩＭＡＧＥ  ＳＲＣ  ＦＩＬＥ＝”という文字列の後にファイル名を付けて、印刷管理情報ファイル“ＡＵＴＰＲＩＮＴ．ＭＲＫ”の２行目を作成する。そして印刷管理情報格納手段２１４が印刷管理情報ファイル“ＡＵＴＰＲＩＮＴ．ＭＲＫ”をフラッシュメモリカード１０２に格納する。その後同様の操作によって、印刷したい画像ファイルを選択して、印刷管理情報ファイル“ＡＵＴＰＲＩＮＴ．ＭＲＫ”を作成する。そして、図４の４行目までが作成される。
【００５８】
次に、印刷情報入力手段２１３の改ページ指定キーを押すと、“ＪＯＢ＝”という文字列の後に“ＰＡＧＥ”という文字列を追加して図４の５行目が作成される。“ＰＡＧＥ”は改ページを示す。
【００５９】
更に、別の画像ファイルを印刷したい場合は、同様の操作によって、ユーザーが印刷したい画像ファイルを選択して、図４の６〜９行目までの印刷管理情報ファイルを作成することができる。
【００６０】
印刷管理情報ファイルが格納されるディレクトリ構造を示す図５において、印刷管理情報ファイル等の制御ファイルと静止画ファイルと動画ファイルは独立したディレクトリ構造になっている。このようなディレクトリ構造にすることによって、フラッシュメモリカード１０２から自動的にファイルを検索するときに制御ファイルや画像ファイルの検索を容易にすることができる。
【００６１】
次に、本実施の形態におけるプリント装置の構成を示す図３を用いて、プリント装置１０９の動作説明を行う。
【００６２】
まず、ユーザーは選択した画像を印刷するためにプリント装置１０９と撮像装置１００を通信ケーブル１１２で接続する。第１および第２ファイル転送手段１０８，１１０によって、フラッシュメモリカード１０２の中のファイルをプリント装置１０９からアクセスできるようにすると、印刷管理情報取得手段３０１が第１および第２ファイル転送手段１０８，１１０を介してフラッシュメモリカード１０２から“ＡＵＴＰＲＩＮＴ．ＭＲＫ”なるファイルを探し、そのファイルを取得し内容を印刷制御手段３０２と画像選択読出手段３０３に通知する。
【００６３】
画像選択読出手段３０３は、印刷管理情報ファイル“ＡＵＴＰＲＩＮＴ．ＭＲＫ”の内容を受け取ると、フラッシュメモリカード１０２内の画像ファイルの中から印刷指定された画像ファイルを探し、画像ファイルを読み出す。読み出されたフレーム内符号化された画像ファイルを復号化処理手段３０４で復号化し、印刷画像格納メモリ３０５に格納する。画像選択読出手段３０３はこの動作を改ページ命令が検出されるまで繰り返し、フレーム画像を印刷画像格納メモリ３０５に格納する。印刷制御手段３０２は改ページ命令まで印刷を待機させる。次に、印刷画像格納メモリ３０５に格納されたフレーム画像を印刷信号処理手段３０６で印刷特有の階調補正や輪郭補正等の信号処理を行い、印刷部３０７が印刷制御手段３０２の指示に従いマルチ印刷を実施する。
【００６４】
図６はプリント装置１０９の出力結果例を示す図である。改ページ命令までの４フレーム画像をマルチ印刷した例である。
【００６５】
このように構成することによって、撮像装置で撮影した画像ファイル１０３の中から印刷したい画像ファイルを情報として持った印刷管理情報ファイル１０７を、画像ファイルを格納させたのと同一のフラッシュメモリカード上に格納させることができる。
【００６６】
このように、印刷管理情報ファイル１０７の名前を“ＡＵＴＰＲＩＮＴ．ＭＲＫ”等に決めておく。これにより、プリント装置１０９を撮像装置１００に通信ケーブル１１２で接続するだけで、撮像装置１００に装着されたフラッシュメモリカード１０２の中から、自動的に選択した画像ファイルの印刷を可能にすることができるという効果を得ることができる。
【００６７】
なお、本実施の形態においては、第１および第２ファイル転送手段１０８，１１０を通信ケーブル１１２を接続する有線通信で動作説明を行ったが、第１および第２ファイル転送手段１０８，１１０を無線通信で行うことにより撮像装置１００側の操作だけでも、自動印刷を行うことができるという効果を得ることができる。
【００６８】
なお、本実施の形態においては、着脱可能な不揮発性記録手段をフラッシュメモリカードとして動作説明を行ったが、ディスク等の着脱可能な不揮発性記録媒体を用いても同様の効果を得ることができる。
【００６９】
なお、本実施の形態において、静止画ファイルとして撮影することで動作説明を行ったが、動画ファイルの印刷したい１フレームを選択して、選択された動画ファイルの１フレームの印刷画像に関する情報を、動画ファイルを格納させたのと同一の着脱可能な不揮発性記録手段に格納し、撮像装置１００とプリント装置１０９を接続することにより、動画ファイルの選択された１フレームの印刷画像を自動印刷できる構成にすることができ、動画ファイルに対しても同様の効果を得ることができる。
【００７０】
なお、本実施の形態においては、印刷管理情報にファイル名や改ページ情報を用いて動作説明を行ったが、他にも、ユーザー名、日付、タイトル、プリント種類、プリント枚数、回転情報等がある。これらの印刷管理情報を印刷情報入力手段２１３で入力できるようにすることによって、これらの印刷管理情報を基に印刷を行ったり、これらの印刷管理情報を入れて印刷することができる。
【００７１】
（実施の形態２）
図７は本発明の実施の形態２によるデジタルカメラシステムの構成図を示す。
【００７２】
図７において、図１と同じ構成要素については、同じ符号を付し、その説明は省略する。図７において、７００は撮像装置、７０５は表示画像の表示ファイル指定や再生時間指定等の表示管理情報を作成する表示管理情報作成手段である。７０６は表示管理情報をフラッシュメモリカード１０２に表示管理情報ファイル７０７として書き込みを行い、表示管理情報ファイル７０７の読み出しも行う表示管理情報格納／取得手段である。７１１は表示手段であり、第２ファイル転送手段１１０とともに表示装置７０９を構成する。
【００７３】
図８は本発明の実施の形態２における撮像装置の構成を示したブロック図である。図８において、図２と同じ構成要素については、同じ符号を付し、その説明は省略する。図８において、８１３は表示画像の表示ファイル指定や再生時間指定等の処理命令の入力を行う表示情報入力手段であり、画像情報取得手段８１２とにより表示管理情報作成手段７０５を構成する。８１４は表示管理情報をフラッシュメモリカード１０２にファイルとして格納する表示管理情報格納手段で、８１５はフラッシュメモリカード１０２から表示管理情報ファイル７０７を読み出す表示管理情報取得手段であり、表示管理情報格納／取得手段７０６を構成する。７０７は、フラッシュメモリカード１０２にＤＯＳフォーマット形式で格納される表示管理情報ファイルである。
【００７４】
本実施の形態２は、本実施の形態１のデジタルカメラシステムと同様に、ユーザーが撮像装置上で選択した画像ファイル名と選択画像に対する処理命令をフラッシュメモリカード１０２上に表示管理情報ファイル７０７として作成する。
【００７５】
図１０は、本実施の形態２における表示管理情報ファイル７０７の内容の例を示す図である。図１０において、表示管理情報ファイル７０７の内容として、行数は表示管理情報ファイル７０７内の情報数を示す。画像指定は表示したい画像ファイルであることを示す。指定ファイル名は表示したい画像ファイル名を示す。“ＰＬＹ  ＤＵＲ＝”は再生時間指定命令であり、“１０”は再生表示時間１０秒を示している。
【００７６】
なお、作成される表示管理情報ファイルは、図１０に示した表示管理情報ファイルのように、少なくとも表示するファイル名が記載されたものとする。
【００７７】
図９は、本実施の形態２における表示装置の構成を示すブロック図である。図９において、図３と同じ構成要素については、同じ符号を付し、その説明は省略する。図９を用いて、表示装置７０９の動作説明を行う。
【００７８】
まず、ユーザーは選択した画像を表示するために表示装置７０９と撮像装置７００を通信ケーブル１１２で接続する。第１および第２ファイル転送手段１０８，１１０によって、フラッシュメモリカード１０２の中のファイルを表示装置７０９からアクセスできるようにすると、表示管理情報取得手段９０１が第１および第２ファイル転送手段１０８，１１０を介してフラッシュメモリカード１０２から“ＡＵＴＤＩＳＰ．ＭＲＫ”なるファイルを探し、そのファイルを取得し内容を表示制御手段９０２と画像選択読出手段９０３に通知する。
【００７９】
画像選択読出手段９０３は、表示管理情報ファイル“ＡＵＴＤＩＳＰ．ＭＲＫ”の内容を受け取ると、フラッシュメモリカード１０２内の画像ファイルの中から表示指定された画像ファイルを探し、画像ファイルを読み出す。読み出されたフレーム内符号化された画像ファイルを復号化処理手段９０４で復号化し、表示画像格納メモリ９０５に格納する。
【００８０】
また、表示制御手段９０２は、図１０に示された表示管理情報ファイル“ＡＵＴＤＩＳＰ．ＭＲＫ”の内容を受け取ると、画像ファイルに対する処理命令を検索し、再生時間指定を検出し、再生時間指定に従い表示部９０７へ表示の指令を出力する。
【００８１】
次に、表示画像格納メモリ９０５に格納されたフレーム画像を表示信号処理手段９０６で表示特有の階調補正や輪郭補正等の信号処理を行い、表示部９０７が表示制御手段９０２の指示に従い再生時間１０秒の表示を実施する。
【００８２】
同様の動作を繰り返し、“ＡＡＡ．ＪＰＧ”から“ＥＥＥ．ＪＰＧ”までの画像ファイルを１０秒毎に切り替えて表示を行う。
【００８３】
図１１は表示装置の表示結果例を示す図である。再生時間指定命令で各画像ファイルを１０秒毎に表示を実施した場合の例である。
【００８４】
このように構成することによって、撮像装置７００で撮影した画像ファイルの中から表示したい画像を情報として持った表示管理情報ファイル７０７を、画像ファイル１０３を格納させたのと同一のフラッシュメモリカード１０２上に格納させることができる。
【００８５】
このように、表示管理情報ファイル７０７の名前を“ＡＵＴＤＩＳＰ．ＭＲＫ”等に決めておく。これにより、表示装置７０９を撮像装置７００に通信ケーブル１１２で接続するだけで、撮像装置７００に装着されたフラッシュメモリカード１０２の中から、自動的に選択した画像ファイルの表示を可能にすることができる効果を得ることができる。
【００８６】
なお、本実施の形態においては、第１および第２のファイル転送手段１０８，１１０を通信ケーブル１１２で接続する有線通信で動作説明を行ったが、第１および第２のファイル転送手段１０８，１１０を無線通信で行うことにより撮像装置７００側の操作だけでも、自動表示を行うことができるという効果を得ることができる。
【００８７】
なお、本実施の形態においては、着脱可能な不揮発性記録手段をフラッシュメモリカードとして動作説明を行ったが、ディスク等の着脱可能な不揮発性記録媒体を用いても同様の効果を得ることができる。
【００８８】
なお、本実施の形態において、静止画ファイルとして撮影することで動作説明を行ったが、表示したい動画ファイルを選択して、選択された動画ファイルに関する情報を、動画ファイルを格納させたのと同一の着脱可能な不揮発性記録手段に格納し、撮像装置７００と表示装置７０９を接続することにより、動画ファイルを自動表示できる構成にすることができ、動画ファイルに対しても同様の効果を得ることができる。
【００８９】
なお、本実施の形態においては、表示管理情報にファイル名や再生時間を用いて動作説明を行ったが、他にも、ユーザー名、日付、タイトル、表示種類、表示時間、回転情報等がある。これらの表示管理情報を表示情報入力手段８１３で入力できるようにすることによって、これらの表示管理情報を基に表示を行ったり、これらの表示管理情報を入れて表示することができる。
【００９０】
（実施の形態３）
図１２は本発明の実施の形態３によるデジタルカメラシステムの構成図を示す。
【００９１】
図１２において、図１と同じ構成要素については、同じ符号を付し、その説明は省略する。図１２において、１２００は撮像装置、１２０５は送信画像の送信ファイル指定や送信アドレスの通信管理情報を作成する通信管理情報作成手段である。１２０６は通信管理情報をフラッシュメモリカード１０２に通信管理情報ファイル１２０７として書き込みを行い、通信管理情報ファイル１２０７の読み出しも行う通信管理情報格納／取得手段である。１２１１は通信手段であり、第２ファイル転送手段１１０とともに通信装置１２０９を構成する。
【００９２】
図１３は本発明の実施の形態３における撮像装置の構成を示したブロック図である。図１３において、図２と同じ構成要素については、同じ符号を付し、その説明は省略する。図１３において、１３１３は送信画像の送信ファイル指定や送信アドレス指定等の処理命令の入力を行う通信情報入力手段であり、通信情報取得手段１３１２とにより通信管理情報作成手段１２０５を構成する。１３１４は通信管理情報をフラッシュメモリカード１０２にファイルとして格納する通信管理情報格納手段で、１３１５はフラッシュメモリカード１０２から通信管理情報ファイル１２０７を読み出す通信管理情報取得手段であり、この両者で通信管理情報格納／取得手段１２０６を構成する。１２０７はフラッシュメモリカード１０２にＤＯＳフォーマット形式で格納される通信管理情報ファイルである。
【００９３】
本実施の形態３は、本実施の形態１のデジタルカメラシステムと同様に、ユーザーが撮像装置上で選択した画像ファイル名と選択画像に対する処理命令をフラッシュメモリカード１０２上に通信管理情報ファイル１２０７として作成する。
【００９４】
図１５は、本実施の形態３における通信管理情報ファイル１２０７の内容の例を示す図である。図１５において、通信管理情報ファイル１２０７の内容として、行数は通信管理情報ファイル１２０７内の情報数を示す。画像指定は送信したい画像ファイルであることを示す。指定ファイル名は送信したい画像ファイル名を示す。“ＤＳＴ  ＥＭＬ＝”は電子メールの送信アドレス指定命令であり、“ｔａｍｕｒａ＠ａｂｃｄ．ｃｏ．ｊｐ”は電子メールアドレスを示している。また、“ＤＳＴ  ＦＡＸ＝”はＦＡＸ番号指定命令であり、“８１−６−６９９９−９９９９”はＦＡＸ番号を示している。
【００９５】
なお、作成される通信管理情報ファイルは、図１５に示した通信管理情報ファイルのように、少なくとも通信するファイル名と送信アドレスが記載されたものとする。
【００９６】
図１４は、本実施の形態３における通信装置の構成を示すブロック図である。図１４において、図３と同じ構成要素については、同じ符号を付し、その説明は省略する。図１４を用いて、通信装置の動作説明を行う。
【００９７】
まず、ユーザーは選択した画像ファイルを送信するために通信装置１２０９と撮像装置１２００を通信ケーブル１１２で接続する。第１および第２のファイル転送手段１０８，１１０によって、フラッシュメモリカード１０２の中のファイルを通信装置１２０９からアクセスできるようにすると、通信管理情報取得手段１４０１が第１および第２のファイル転送手段１０８，１１０を介してフラッシュメモリカード１０２から“ＡＵＴＳＥＮＤ．ＭＲＫ”なるファイルを探し、そのファイルを取得し内容を通信制御手段１４０２と画像選択読出手段１４０３に通知する。
【００９８】
画像選択読出手段１４０３は、通信管理情報ファイル“ＡＵＴＳＥＮＤ．ＭＲＫ”の内容を受け取ると、フラッシュメモリカード１０２内の画像ファイルの中から送信指定された画像ファイルを探し、画像ファイルを読み出す。読み出されたフレーム内符号化された画像ファイルを復号化処理手段１４０４で復号化し、通信画像格納メモリ１４０５に格納する。
【００９９】
また、電子メール等の場合は送信データを小さくしたいので、符号化された画像ファイルの復号化処理を行わないで、画像選択読出手段１４０３が画像ファイルを通信部１４０７へ送るように構成されている。
【０１００】
また、通信制御手段１４０２は、図１５に示された通信管理情報ファイル“ＡＵＴＳＥＮＤ．ＭＲＫ”の内容を受け取ると、画像ファイルに対する処理命令を検索し、送信アドレス指定を検出し、送信アドレス指定に従い通信部１４０７へ送信の指令を出力する。
【０１０１】
次に、通信画像格納メモリ１４０５に格納されたフレーム画像を通信信号処理手段１４０６で通信特有の階調補正や輪郭補正等の信号処理を行い、通信部１４０７が通信制御手段１４０２の指示に従い送信アドレスへ送信画像の送信を実施する。
【０１０２】
図１５の通信管理情報ファイル例を用いて、通信手段１２１１の動作を詳細に説明する。まず、送信アドレス指定が電子メールの場合は、指定された画像ファイル“ＡＡＡ．ＪＰＧ”と“ＢＢＢ．ＪＰＧ”をフラッシュメモリカード１０２内の画像ファイルの中から探し、画像ファイルを読み出す。読み出されたフレーム内符号化された画像ファイルを復号化処理を行わないで、画像ファイルを送信電子メールアドレス“ｔａｍｕｒａ＠ａｂｃｄ．ｃｏ．ｊｐ”へ自動送信を行う。また、送信アドレス指定がＦＡＸの場合は、指定された画像ファイル“ＣＣＣ．ＪＰＧ”，“ＤＤＤ．ＪＰＧ”，“ＥＥＥ．ＪＰＧ”，“ＦＦＦ．ＪＰＧ”をフラッシュメモリカード１０２内の画像ファイルの中から探し、画像ファイルを読み出す。読み出されたフレーム内符号化された画像ファイルを復号化処理手段１４０４で復号化し、通信画像格納メモリ１４０５に格納する。次に、通信画像格納メモリ１４０５に格納されたフレーム画像を通信信号処理手段１４０６で通信特有の階調補正や輪郭補正等の信号処理を行い、通信部１４０７が通信制御手段１４０２の指示に従い送信アドレスのＦＡＸ番号へ送信画像をＦＡＸ送信する。
【０１０３】
このように構成することによって、撮像装置１２００で撮影した画像ファイルの中から送信したい画像を情報として持った通信管理情報ファイルを、画像ファイルを格納させたのと同一のフラッシュメモリカード上に格納させることができる。
【０１０４】
このように、通信管理情報ファイルの名前を“ＡＵＴＳＥＮＤ．ＭＲＫ”等に決めておく。これにより、通信装置１２０９を撮像装置１２００に通信ケーブル１１２で接続するだけで、撮像装置１２００に装着されたフラッシュメモリカード１０２の中から、自動的に選択した画像ファイルの送信を可能にすることができるという効果を得ることができる。
【０１０５】
なお、本実施の形態においては、第１および第２のファイル転送手段１０８，１１０を通信ケーブル１１２を接続する有線通信で動作説明を行ったが、第１および第２のファイル転送手段１０８，１１０を無線通信で行うことにより撮像装置１２００側の操作だけでも、自動送信を行うことができるという効果を得ることができる。
【０１０６】
なお、本実施の形態においては、着脱可能な不揮発性記録手段をフラッシュメモリカードとして動作説明を行ったが、ディスク等の着脱可能な不揮発性記録媒体を用いても同様の効果を得ることができる。
【０１０７】
なお、本実施の形態において、静止画ファイルとして撮影することで動作説明を行ったが、送信したい動画ファイルを選択して、選択された動画ファイルに関する情報を、動画ファイルを格納させたのと同一の着脱可能な不揮発性記録手段に格納し、撮像装置１２００と通信装置１２０９を接続することにより、動画ファイルを自動送信できる構成にすることができ、動画ファイルに対しても同様の効果を得ることができる。
【０１０８】
また、本実施の形態においては、通信管理情報にファイル名と送信アドレスを用いて動作説明を行ったが、他にも、ユーザー名、日付、タイトル、送信種類、送信枚数、回転情報等がある。これらの通信管理情報を通信情報入力手段１３１３で入力できるようにすることによって、これらの通信管理情報を基に送信を行ったり、これらの通信管理情報を入れて送信することができる。
【０１０９】
【発明の効果】
以上のように、本発明のデジタルカメラシステムによれば、撮像装置が撮影した画像ファイルの中から印刷画像を選択し、選択された印刷画像に関する情報を、画像ファイルを格納させたのと同一の着脱可能な不揮発性記録手段に格納させるように構成したことにより、この着脱可能な不揮発性記録手段を撮像装置に装着した状態で、撮像装置とプリント装置をファイル転送手段で接続することによって、選択された画像ファイルを自動印刷することができるという効果が得られる。
【０１１０】
また、本発明のデジタルカメラシステムによれば、撮像装置が撮影した画像ファイルの中から表示画像を選択し、選択された表示画像に関する情報を、画像ファイルを格納させたのと同一の着脱可能な不揮発性記録手段に格納させるように構成したことにより、この着脱可能な不揮発性記録手段を撮像装置に装着した状態で、撮像装置と表示装置をファイル転送手段で接続することによって、選択された画像ファイルを自動表示することができるという効果が得られる。
【０１１１】
また、本発明のデジタルカメラシステムによれば、撮像装置が撮影した画像ファイルの中から送信画像を選択し、選択された送信画像に関する情報を、画像ファイルを格納させたのと同一の着脱可能な不揮発性記録手段に格納させるように構成したことにより、この着脱可能な不揮発性記録手段を撮像装置に装着した状態で、撮像装置と通信装置をファイル転送手段で接続することによって、選択された画像ファイルを自動送信することができるという効果が得られる。
【図面の簡単な説明】
【図１】本発明の実施の形態１によるデジタルカメラシステムの構成を示すブロック図
【図２】同実施の形態１による撮像装置の構成を示すブロック図
【図３】同実施の形態１によるプリント装置の構成を示すブロック図
【図４】本発明における印刷管理情報ファイルの内容の例を示す図
【図５】本発明における印刷管理情報ファイルが格納されるディレクトリ構造を示す図
【図６】本発明における印刷管理情報ファイルよって印刷した印刷例を示す図
【図７】本発明の実施の形態２によるデジタルカメラシステムの構成を示すブロック図
【図８】同実施の形態２による撮像装置の構成を示すブロック図
【図９】同実施の形態２による表示装置の構成を示すブロック図
【図１０】本発明における表示管理情報ファイルの内容の例を示す図
【図１１】本発明における表示管理情報ファイルよって表示した表示例を示す図
【図１２】本発明の実施の形態３によるデジタルカメラシステムの構成を示すブロック図
【図１３】同実施の形態３による撮像装置の構成を示すブロック図
【図１４】同実施の形態３による通信装置の構成を示すブロック図
【図１５】本発明における通信管理情報ファイルの内容の例を示す図
【図１６】従来の撮像装置の構成を示すブロック図
【符号の説明】
１００、７００、１２００  撮像装置
１０１  撮像手段
１０２  フラッシュメモリカード
１０３  画像ファイル
１０４  再生表示手段
１０５  印刷管理情報作成手段
１０６  印刷管理情報格納／取得手段
１０７  印刷管理情報ファイル
１０８  第１ファイル転送手段
１０９  プリント装置
１１０  第２ファイル転送手段
１１１  印刷手段
７０５  表示管理情報作成手段
７０６  表示管理情報格納／取得手段
７０７  表示管理情報ファイル
７０９  表示装置
７１１  表示手段
１２０５  通信管理情報作成手段
１２０６  通信管理情報格納／取得手段
１２０７  通信管理情報ファイル
１２０９  通信装置
１２１１  通信手段
【図１】
0004334163.tif 000002
【図２】
0004334163.tif 000003
【図３】
0004334163.tif 000004
【図４】
0004334163.tif 000005
【図５】
0004334163.tif 000006
【図６】
0004334163.tif 000007
【図７】
0004334163.tif 000008
【図８】
0004334163.tif 000009
【図９】
0004334163.tif 000010
【図１０】
0004334163.tif 000011
【図１１】
0004334163.tif 000012
【図１２】
0004334163.tif 000013
【図１３】
0004334163.tif 000014
【図１４】
0004334163.tif 000015
【図１５】
0004334163.tif 000016
【図１６】
0004334163.tif 000017